(57)【要約】【課題】ブラシを容器本体内に挿入しながら、蓋体により容器本体の口部を閉塞する際に、ブラシの毛先部分が容器本体の口部の上端開口縁上に引っ掛かったままの状態になるのを防ぐ。【解決手段】内容物が収容される容器本体１１と、容器本体１１の口部１２を開閉するとともに、容器本体１１内に挿入されるブラシ１３を有する蓋体１４と、を備えるブラシ付き容器１であって、容器本体１１の口部１２には、この容器本体１１の底部１１ａ側の下方に向かうに従い漸次、径方向の内側に向けた突出量が高くなる導入突部２８が全周にわたって形成されている。【選択図】図１
2015062650.tif 000002
【特許請求の範囲】
【請求項１】
内容物が収容される容器本体と、
前記容器本体の口部を開閉するとともに、前記容器本体内に挿入されるブラシを有する蓋体と、
を備えるブラシ付き容器であって、
前記容器本体の口部には、この容器本体の底部側の下方に向かうに従い漸次、径方向の内側に向けた突出量が高くなる導入突部が全周にわたって形成されていることを特徴とするブラシ付き容器。
【請求項２】
前記蓋体は、前記容器本体に対して容器軸回りに回転されることで、前記口部を開閉する構成とされたことを特徴とする請求項１に記載のブラシ付き容器。
【請求項３】
前記口部の上端開口部には、径方向の内側に向けて突出し、かつ容器軸方向に延びる縦リブが形成されていることを特徴とする請求項１または２に記載のブラシ付き容器。
【請求項４】
前記容器本体を径方向の外側から囲繞する外郭筒が備えられ、
前記容器本体と前記外郭筒との間には、前記容器本体を前記外郭筒に対して上方付勢する付勢部材が配設され、
前記蓋体は、前記外郭筒に着脱自在に装着されるとともに、前記付勢部材を圧縮変形させつつ、前記容器本体を前記外郭筒に対して下方に押し込んでいることを特徴とする請求項１から３のいずれか１項に記載のブラシ付き容器。
【請求項５】
前記容器本体を径方向の外側から囲繞する外郭筒が備えられ、
前記蓋体は、前記外郭筒に着脱自在に装着され、
前記外郭筒は有底筒状に形成されるとともに、その底部に指が差し込み可能な差込孔が形成され、
前記容器本体の底部は弾性変形可能に形成されていることを特徴とする請求項１から４のいずれか１項に記載のブラシ付き容器。
【請求項６】
前記導入突部は、前記口部のうち、その上端開口縁より下方に位置する部分に形成され、
前記口部の上端開口縁には、誘導突起が上方に向けて突設されていることを特徴とする請求項１から５のいずれか１項に記載のブラシ付き容器。
【請求項７】
前記口部の上端開口縁には、少なくとも一部が前記誘導突起より径方向の外側に位置する迂回突起が上方に向けて突設されていることを特徴とする請求項６に記載のブラシ付き容器。
【発明の詳細な説明】
【技術分野】
【０００１】
本発明は、ブラシ付き容器に関するものである。
【背景技術】
【０００２】
従来から、例えば下記特許文献１に示されるように、内容物が収容される容器本体と、前記容器本体の口部を開閉するとともに、前記容器本体内に挿入されるブラシを有する蓋体と、を備えるブラシ付き容器が知られている。
【先行技術文献】
【特許文献】
【０００３】
【特許文献１】特開２００３−１０２５４０号公報
【発明の概要】
【発明が解決しようとする課題】
【０００４】
しかしながら、前記従来のブラシ付き容器では、ブラシを容器本体内に挿入しながら、蓋体により容器本体の口部を閉塞する際に、ブラシの毛先部分が容器本体の口部の上端開口縁上に引っ掛かったままの状態になりやすいという問題があった。
【０００５】
本発明は、このような事情を考慮してなされたもので、ブラシを容器本体内に挿入しながら、蓋体により容器本体の口部を閉塞する際に、ブラシの毛先部分が容器本体の口部の上端開口縁上に引っ掛かったままの状態になるのを防ぐことができるブラシ付き容器を提供することを目的とする。
【課題を解決するための手段】
【０００６】
上記課題を解決して、このような目的を達成するために、本発明のブラシ付き容器は、内容物が収容される容器本体と、前記容器本体の口部を開閉するとともに、前記容器本体内に挿入されるブラシを有する蓋体と、を備えるブラシ付き容器であって、前記容器本体の口部には、この容器本体の底部側の下方に向かうに従い漸次、径方向の内側に向けた突出量が高くなる導入突部が全周にわたって形成されていることを特徴とする。
【０００７】
この発明によれば、容器本体の口部に導入突部が形成されているので、蓋体により容器本体の口部を閉塞するに際し、蓋体を容器本体に対して容器軸回りに回転させながら、ブラシを容器本体内に挿入するときに、ブラシを導入突部に摺接させることで、ブラシを容器本体内に向けて導入させやすくすることができる。
すなわち、ブラシを容器本体内に挿入したときに、ブラシの毛先部分が、容器本体の口部の上端開口縁上に載ったとしても、蓋体を容器本体に対して下降させながら容器軸回りに回転させる過程において、このブラシの毛先部分が、まず、容器本体の内側に向けて引き込まれ、次いで、このように引き込まれたブラシの毛先部分を、導入突部に摺接させることで、このブラシの毛先部分の屈曲変形が抑えられ、前述のブラシの毛先部分を下方に向けて復元変形させやすくすることができる。
以上より、ブラシを容器本体内に挿入しながら、蓋体により容器本体の口部を閉塞する際に、ブラシの毛先部分が容器本体の口部の上端開口縁上に引っ掛かったままの状態になるのを防ぐことができる。
【０００８】
ここで、前記蓋体は、前記容器本体に対して容器軸回りに回転されることで、前記口部を開閉する構成とされてもよい。
【０００９】
この場合、蓋体が、容器本体に対して容器軸回りに回転されることで、口部を開閉する構成とされているので、蓋体により容器本体の口部を閉塞する際に、容器本体の口部の上端開口縁上に引っ掛かったブラシを、容器本体の内側に確実に引き込むことができる。
【００１０】
また、前記口部の上端開口部には、径方向の内側に向けて突出し、かつ容器軸方向に延びる縦リブが形成されてもよい。
【００１１】
この場合、容器本体の口部の上端開口部に縦リブが形成されているので、前述のように、蓋体により容器本体の口部を閉塞する際に、ブラシを縦リブに摺接させることで、ブラシを容器本体内により一層確実に導入させやすくすることができる。
特に、縦リブが、導入突部の上方から下方に向けて延び、導入突部に至っている場合には、蓋体により容器本体の口部を閉塞する過程において、ブラシを、まず、縦リブのうち導入突部より上方に位置する部分に摺接させ、次いで、縦リブのうち導入突部に至っている部分、及び導入突部の双方に摺接させることが可能になり、ブラシを屈曲させることなくスムーズに容器本体内に導入させることができる。
【００１２】
また、前記容器本体を径方向の外側から囲繞する外郭筒が備えられ、前記容器本体と前記外郭筒との間には、前記容器本体を前記外郭筒に対して上方付勢する付勢部材が配設され、前記蓋体は、前記外郭筒に着脱自在に装着されるとともに、前記付勢部材を圧縮変形させつつ、前記容器本体を前記外郭筒に対して下方に押し込んでもよい。
【００１３】
この場合、蓋体を外郭筒から外すと、付勢部材が復元変形することで、容器本体が外郭筒に対して上昇することとなり、蓋体を外郭筒から外した後に、ブラシを容器本体内に差し込みやすくなるとともに、ブラシに容器本体内の内容物を容易に付着させることができる。
【００１４】
また、前記容器本体を径方向の外側から囲繞する外郭筒が備えられ、前記蓋体は、前記外郭筒に着脱自在に装着され、前記外郭筒は有底筒状に形成されるとともに、その底部に指が差し込み可能な差込孔が形成され、前記容器本体の底部は弾性変形可能に形成されてもよい。
【００１５】
この場合、蓋体を外郭筒から外した後に、再度ブラシに容器本体内の内容物を付着させる際に、ブラシを容器本体内に差し込んだ状態で、外郭筒の差込孔を通して外部から容器本体の底部をブラシに向けて押し込んで弾性変形させることが可能になり、ブラシに内容物を容易に付着させることができる。
【００１６】
また、前記導入突部は、前記口部のうち、その上端開口縁より下方に位置する部分に形成され、前記口部の上端開口縁には、誘導突起が上方に向けて突設されてもよい。
【００１７】
この場合、口部の上端開口縁に誘導突起が突設されているので、前述のように、蓋体により口部を閉塞する際に、ブラシの毛先部分が、口部の上端開口縁上を容器軸回りに摺動したときに、このブラシの毛先部分が、誘導突起の周端面に突き当たり、容器本体の内側に誘導されることとなり、口部の上端開口縁上に載ったブラシの毛先部分を早期かつ円滑に容器本体の内側に誘導することができる。
【００１８】
また、前記口部の上端開口縁には、少なくとも一部が前記誘導突起より径方向の外側に位置する迂回突起が上方に向けて突設されてもよい。
【００１９】
この場合、口部の上端開口縁に、少なくとも一部が誘導突起より径方向の外側に位置する迂回突起が突設されているので、口部の上端開口縁上に載ったブラシの毛先部分を、迂回突起上に乗り上げさせることで、この毛先部分が、口部の上端開口縁を径方向の外側に超えて口部の外周面側に到達するのを抑制することが可能になり、ブラシの毛先部分が、口部の外周面と蓋体との間に挟まれるのを確実に抑えることができる。
【発明の効果】
【００２０】
本発明によれば、ブラシを容器本体内に挿入しながら、蓋体により容器本体の口部を閉塞する際に、ブラシの毛先部分が容器本体の口部の上端開口縁上に引っ掛かったままの状態になるのを防ぐことができる。
【図面の簡単な説明】
【００２１】
【図１】本発明に係る第１実施形態として示したブラシ付き容器の縦断面図である。
【図２】図１に示すブラシ付き容器において、蓋体を容器本体から離反させた状態を示す図である。
【図３】本発明に係る第２実施形態として示したブラシ付き容器の縦断面図である。
【図４】図３のＡ−Ａ線矢視図である。
【図５】本発明に係る第３実施形態として示したブラシ付き容器の縦断面図である。
【図６】図５のＢ−Ｂ線矢視図である。
【図７】本発明に係る第４実施形態として示したブラシ付き容器の縦断面図である。
【図８】図７のＣ−Ｃ線矢視図である。
【図９】本発明に係る第５実施形態として示したブラシ付き容器の縦断面図である。
【図１０】図９のＤ−Ｄ線矢視図である。
【発明を実施するための形態】
【００２２】
以下、図面を参照し、本発明の第１実施形態に係るブラシ付き容器１について説明する。
本実施形態のブラシ付き容器１は、図１に示されるように、内容物が収容される容器本体１１と、容器本体１１の口部１２を開閉するとともに、容器本体１１内に挿入されるブラシ１３を有する蓋体１４と、を備えている。
蓋体１４は、ブラシ１３が装着された蓋本体２０を備えている。
容器本体１１は有底筒状に形成されるとともに、蓋体１４の蓋本体２０は有頂筒状に形成されている。そして、容器本体１１及び蓋本体２０は、それぞれの中心軸線が共通軸上に位置するように配置されている。以下、この共通軸を容器軸Ｏといい、容器軸Ｏ方向に沿う蓋本体２０の頂壁部１５側を上側、容器本体１１の底部１１ａ側を下側という。また、容器軸Ｏに直交する方向を径方向といい、容器軸Ｏ回りに周回する方向を周方向という。
【００２３】
本実施形態では、容器本体１１を径方向の外側から囲繞する外郭筒１６が備えられている。
外郭筒１６は容器軸Ｏと同軸に配設されている。外郭筒１６は、有底筒状に形成され、その底部１６ａに指が差し込み可能な差込孔１６ｂが形成されている。差込孔１６ｂは容器軸Ｏと同軸に配設されている。外郭筒１６の口部１６ｃの外周面に、蓋体１４が螺着される雄ねじ部が形成されている。口部１６ｃと胴部１６ｄとの接続部分に、径方向の内側に向けて突出し、全周にわたって延びる支持突部１６ｅが形成されている。
図示の例では、外郭筒１６は、口部１６ｃ及び胴部１６ｄを有する筒状部分と、板状の底部１６ａと、を備えていて、これらの筒状部分と底部１６ａとが別体となっている。なお、前記筒状部分及び底部１６ａを一体に形成してもよい。
【００２４】
蓋体１４は、頂壁部１５、及び頂壁部１５の外周縁から下方に向けて延びる周壁部１８を備える蓋本体２０と、蓋本体２０に装着されたブラシ１３と、を備えている。
蓋本体２０の周壁部１８に、外郭筒１６の口部１６ｃの雄ねじ部に螺合する雌ねじ部が形成されている。これにより、蓋体１４が外郭筒１６に着脱自在に螺着され、蓋体１４が、容器本体１１に対して容器軸Ｏ回りに回転されることで、容器本体１１の口部１２を開閉するように構成されている。
蓋本体２０の頂壁部１５には、容器軸Ｏと同軸に配置され、上方に向けて開口する環状凹部１９が形成されている。環状凹部１９は、筒状の内側壁部１９ａと、内側壁部１９ａを径方向の外側から囲繞する筒状の外側壁部１９ｂと、これらの内側壁部１９ａ及び外側壁部１９ｂそれぞれの下端同士を連結する連結壁部１９ｃと、により画成されている。
【００２５】
周壁部１８と外側壁部１９ｂとの間にパッキン２１が配設されている。
ブラシ１３の上部は、筒状の収束体１３ａにより束ねられている。この収束体１３ａが内側壁部１９ａ内に嵌合されることにより、ブラシ１３が蓋本体２０に装着されている。ブラシ１３のうち、収束体１３ａから下方に突出した部分は、下方に向かうに従い漸次、径方向の外側に拡がっている。
なお、ブラシ１３の上部は、収束体１３ａに代えて、例えば接着剤を含浸させて固化させることで束ねるようにするなど適宜変更してもよい。ブラシ１３は、例えば化粧料を皮膚に塗布する柔軟性のあるものなどを採用してもよい。
また、蓋本体２０の頂壁部１５には、環状凹部１９の上端開口を閉塞する環状の閉塞板２２が装着されている。
【００２６】
容器本体１１は、筒状の口部１２と、口部１２の下端開口を閉塞する袋状の底部１１ａと、を備えている。
底部１１ａは弾性変形可能に形成されている。
容器本体１１の口部１２の下端部には、径方向の外側に向けて突出する係止突部２４が全周にわたって形成されている。係止突部２４は、外郭筒１６の支持突部１６ｅの下方に位置し、かつこの支持突部１６ｅと容器軸Ｏ方向で対向している。
容器本体１１の口部１２の上端部には、径方向の外側に向けて突出するフランジ部２６が形成されている。フランジ部２６のうち、径方向の外側に位置する部分（以下、外側部分という）は、外郭筒１６の口部１６ｃの上端開口縁と、パッキン２１と、により容器軸Ｏ方向に挟まれ、径方向の内側に位置する部分（以下、内側部分という）は、外郭筒１６の支持突部１６ｅの上方に位置し、かつこの支持突部１６ｅと容器軸Ｏ方向で対向している。
【００２７】
そして、フランジ部２６の前記内側部分と、外郭筒１６の支持突部１６ｅと、容器本体１１の口部１２の外周面と、外郭筒１６の口部１６ｃの内周面と、により囲まれた環状空間に、容器本体１１を外郭筒１６に対して上方に付勢する付勢部材２７が配設されている。図示の例では、付勢部材２７はコイルスプリングとなっている。
蓋体１４は、付勢部材２７を容器軸Ｏ方向に圧縮変形させつつ、容器本体１１を外郭筒１６に対して下方に押し込んでいる。
【００２８】
以上の構成において、蓋体１４を、容器本体１１及び外郭筒１６に対して容器軸Ｏ回りに回転させ、蓋体１４の雌ねじ部と外郭筒１６の雄ねじ部との螺合を解除すると、図２に示されるように、付勢部材２７が復元変形し、かつ容器本体１１の係止突部２４が上昇して外郭筒１６の支持突部１６ｅに突き当たる。この際、容器本体１１のフランジ部２６の前記外側部分が、外郭筒１６の口部１６ｃの上端開口縁から上方に離反し、容器本体１１が外郭筒１６に対して上昇する。
【００２９】
そして、本実施形態では、容器本体１１の口部１２に、下方に向かうに従い漸次、径方向の内側に向けた突出量が高くなる導入突部２８が全周にわたって形成されている。
図示の例では、導入突部２８のうち、径方向の内側に向けた突出量が最大となる頂部２８ａは、容器本体１１の口部１２における容器軸Ｏ方向の中央部に位置している。導入突部２８の頂部２８ａは、径方向の内側に向けて突の曲面状に形成されている。また、この頂部２８ａ内に、蓋体１４の外側壁部１９ｂが着脱自在に嵌合される。導入突部２８は、容器本体１１の口部１２のうち、その上端開口縁より下方に位置する部分に形成されている。また、導入突部２８は、口部１２のうち、上端縁から下方に離れ、かつ下端縁から上方に離れた部分に形成されている。
【００３０】
さらに、本実施形態では、容器本体１１の口部１２の上端開口部に、径方向の内側に向けて突出し、かつ容器軸Ｏ方向に延びる縦リブ２９が形成されている。
縦リブ２９の径方向の内側に向けた突出量は、導入突部２８の頂部２８ａにおける径方向の内側に向けた突出量より低くなっている。また、縦リブ２９は、容器本体１１の口部１２の上端縁から下方に延びるとともに、導入突部２８に至っているものの頂部２８ａよりは上方に位置している。縦リブ２９における径方向の内端縁は、容器軸Ｏに沿って延びている。縦リブ２９における径方向の内端縁の上端部は、径方向の内側に向けて突の曲面状に形成されている。
なお、容器本体１１と外郭筒１６との間に、両者１１、１６の容器軸Ｏ回りの相対的な回転移動を規制する規制部が配設されている。図示の例では、規制部は、外郭筒１６の支持突部１６ｅ、並びに、容器本体１１の口部１２において、導入突部２８と係止突部２４との間に位置する部分に、各別に配設されている。
【００３１】
以上説明したように、本実施形態によるブラシ付き容器１によれば、容器本体１１の口部１２に導入突部２８が形成されているので、蓋体１４により容器本体１１の口部１２を閉塞するに際し、蓋体１４を容器本体１１に対して容器軸Ｏ回りに回転させながら、ブラシ１３を容器本体１１内に挿入するときに、ブラシ１３を導入突部２８に摺接させることで、ブラシ１３を容器本体１１内に向けて導入させやすくすることができる。
すなわち、ブラシ１３を容器本体１１内に挿入したときに、ブラシ１３の毛先部分が、容器本体１１の口部１２の上端開口縁上に載ったとしても、蓋体１４を容器本体１１に対して下降させながら容器軸Ｏ回りに回転させる過程において、このブラシ１３の毛先部分が、まず、容器本体１１の内側に向けて引き込まれ、次いで、このように引き込まれたブラシ１３の毛先部分を、導入突部２８に摺接させることで、このブラシ１３の毛先部分の屈曲変形が抑えられ、前述のブラシ１３の毛先部分を下方に向けて復元変形させやすくすることができる。
以上より、ブラシ１３を容器本体１１内に挿入しながら、蓋体１４により容器本体１１の口部１２を閉塞する際に、ブラシ１３の毛先部分が容器本体１１の口部１２の上端開口縁上に引っ掛かったままの状態になるのを防ぐことができる。
【００３２】
また、蓋体１４が、容器本体１１に対して容器軸Ｏ回りに回転されることで、容器本体１１の口部１２を開閉する構成とされているので、蓋体１４により容器本体１１の口部１２を閉塞する際に、容器本体１１の口部１２の上端開口縁上に引っ掛かったブラシ１３を、容器本体１１の内側に確実に引き込むことができる。
【００３３】
また、容器本体１１の口部１２の上端開口部に縦リブ２９が形成されているので、前述のように、蓋体１４により容器本体１１の口部１２を閉塞する際に、ブラシ１３を縦リブ２９に摺接させることで、ブラシ１３を容器本体１１内により一層確実に導入させやすくすることができる。
特に、本実施形態では、縦リブ２９が、導入突部２８の上方から下方に向けて延び、導入突部２８に至っているので、蓋体１４により容器本体１１の口部１２を閉塞する過程において、ブラシ１３を、まず、縦リブ２９のうち導入突部２８より上方に位置する部分に摺接させ、次いで、縦リブ２９のうち導入突部２８に至っている部分、及び導入突部２８の双方に摺接させるので、ブラシ１３を屈曲させることなくスムーズに容器本体１１内に導入させることができる。
【００３４】
また、蓋体１４が、外郭筒１６に着脱自在に装着されるとともに、付勢部材２７を圧縮変形させつつ、容器本体１１を外郭筒１６に対して下方に押し込んでいるので、蓋体１４を外郭筒１６から外すと、付勢部材２７が復元変形することで、容器本体１１が外郭筒１６に対して上昇することとなり、蓋体１４を外郭筒１６から外した後に、ブラシ１３を容器本体１１内に差し込みやすくなるとともに、ブラシ１３に容器本体１１内の内容物を容易に付着させることができる。
【００３５】
また、外郭筒１６の底部１６ａに指が差し込み可能な差込孔１６ｂが形成され、かつ容器本体１１の底部１１ａが弾性変形可能に形成されているので、蓋体１４を外郭筒１６から外した後に、再度ブラシ１３に容器本体１１内の内容物を付着させる際に、ブラシ１３を容器本体１１内に差し込んだ状態で、外郭筒１６の差込孔１６ｂを通して外部から容器本体１１の底部１１ａをブラシ１３に向けて押し込んで弾性変形させることが可能になり、ブラシ１３に内容物を容易に付着させることができる。
【００３６】
次に、本発明に係る第２実施形態のブラシ付き容器２を、図３及び図４を参照して説明する。
なお、この第２実施形態においては、第１実施形態における構成要素と同一の部分については同一の符号を付し、その説明を省略し、異なる点についてのみ説明する。
【００３７】
本実施形態のブラシ付き容器２では、口部１２の上端開口縁に、誘導突起３１が上方に向けて突設されている。誘導突起３１は、導入突部２８より上方に位置している。誘導突起３１は、１つ設けられている。なお、誘導突起３１は複数配設してもよい。
誘導突起３１の両周端面３１ａ、３１ｂのうち、蓋体１４の、口部１２に対する周方向に沿う締め込み方向Ｘの後側を向く後周端面３１ａは、前側を向く前周端面３１ｂより、口部１２の上端開口縁から上方に高く突出している。誘導突起３１の両周端面３１ａ、３１ｂは、容器軸Ｏ方向に沿って延在している。誘導突起３１の上方に向けた突出量は、前記締め込み方向Ｘの後側から前側に向かうに従い漸次低くなっている。誘導突起３１を径方向から見た側面視形状は矩形状となっている。誘導突起３１は、フランジ部２６における径方向の内端に配設され、誘導突起３１のうち、径方向の内側を向く内面が、口部１２の内周面と面一となっている。
【００３８】
なお、容器本体１１及び外郭筒１６の容器軸Ｏ回りの相対的な回転移動を規制する規制部が、外郭筒１６の上端部、並びに、口部１２においてフランジ部２６と導入突部２８との間に位置する部分に、各別に配設されている。また、口部１２において、導入突部２８の上端部が位置する部分には、径方向の外側に向けて突出する突部３２が形成されている。突部３２における径方向の外端は、フランジ部２６における径方向の外端より径方向の内側に位置している。また、付勢部材２７及び縦リブ２９は設けられていない。また、蓋本体２０頂壁部１５には、環状凹部１９が形成されておらず、導入突部２８内に嵌合する嵌合筒３５が下方に向けて突設されている。頂壁部１５のうち、嵌合筒３５の内側に位置する部分には、上方に膨出する膨出部１５ａが形成されている。収束体１３ａは、嵌合筒３５及び膨出部１５ａの各内部に一体に嵌合されている。
【００３９】
以上説明したように、本実施形態によるブラシ付き容器２によれば、口部１２の上端開口縁に誘導突起３１が突設されているので、前記実施形態と同様にして、蓋体１４により口部１２を閉塞する際に、ブラシ１３の毛先部分が、口部１２の上端開口縁上を容器軸Ｏ回りに摺動したときに、このブラシ１３の毛先部分が、誘導突起３１の後周端面３１ａに突き当たり、容器本体１１の内側に誘導されることとなり、口部１２の上端開口縁上に載ったブラシ１３の毛先部分を早期かつ円滑に容器本体１１の内側に誘導することができる。
【００４０】
次に、本発明に係る第３実施形態のブラシ付き容器３を、図５及び図６を参照して説明する。
なお、この第３実施形態においては、第２実施形態における構成要素と同一の部分については同一の符号を付し、その説明を省略し、異なる点についてのみ説明する。
【００４１】
本実施形態のブラシ付き容器３では、誘導突起４１が、周方向に沿って延びる突条状に形成されている。誘導突起４１の両周端面４１ａ、４１ｂのうち、蓋体１４の、口部１２に対する周方向に沿う締め込み方向Ｘの後側を向く後周端面４１ａは、下方から上方に向かうに従い漸次、前記締め込み方向Ｘの後側に向けて延在している。これにより、誘導突起４１の後周端面４１ａと、口部１２の上端開口縁と、の間に、容器軸Ｏ方向の隙間が形成され、この隙間が、前記締め込み方向Ｘの前側から後側に向かうに従い漸次広くなっている。誘導突起４１の両周端面４１ａ、４１ｂのうち、前記締め込み方向Ｘの前側を向く前周端面４１ｂは、容器軸Ｏ方向に沿って延在している。
【００４２】
以上説明したように、本実施形態によるブラシ付き容器３によれば、前記実施形態と同様にして、蓋体１４により口部１２を閉塞する際に、ブラシ１３の毛先部分が、口部１２の上端開口縁上に位置する誘導突起４１上を容器軸Ｏ回りに摺動し、誘導突起４１の非形成部分に到達したときに、このブラシ１３の毛先部分が、口部１２の上端開口縁上に落ち込み、前記隙間内で束ねられながら、誘導突起４１の後周端面４１ａに突き当たることで、容器本体１１の内側に誘導されることとなり、前述と同様の作用効果を奏功させることができる。
特に本実施形態では、前記隙間が、前記締め込み方向Ｘの前側から後側に向かうに従い漸次広くなっているので、ブラシ１３の毛先部分が、前記隙間内に一度進入したら、誘導突起４１上に再び乗り上がるのを抑制することが可能になり、この毛先部分を容器本体１１の内側に確実に誘導することができる。
【００４３】
次に、本発明に係る第４実施形態のブラシ付き容器４を、図７及び図８を参照して説明する。
なお、この第４実施形態においては、第３実施形態における構成要素と同一の部分については同一の符号を付し、その説明を省略し、異なる点についてのみ説明する。
【００４４】
本実施形態のブラシ付き容器４では、誘導突起５１が、周方向に沿って延びる突条状に形成されている。誘導突起５１の両周端面５１ａ、５１ｂは、容器軸Ｏ方向に沿って延在している。誘導突起５１は、フランジ部２６における径方向の外端に配設されている。
なお、容器本体１１及び外郭筒１６の容器軸Ｏ回りの相対的な回転移動を規制する規制部が、外郭筒１６の上半分、並びに、口部１２においてフランジ部２６と導入突部２８との間に位置する部分に、各別に配設されている。また、口部１２に突部３２は形成されていない。また、本実施形態では、前記第１実施形態と同様に、縦リブ２９、支持突部１６ｅ、及び係止突部２４が配設されている。
【００４５】
以上説明したように、本実施形態によるブラシ付き容器４によれば、誘導突起５１が、周方向に沿って延びる突条状に形成されるとともに、フランジ部２６における径方向の外端に配設されているので、前述の作用効果に加え、口部１２の上端開口縁上に載ったブラシ１３の毛先部分を、誘導突起５１上に乗り上げさせることで、この毛先部分が、口部１２の上端開口縁を径方向の外側に超えて口部１２の外周面側に到達するのを抑制することが可能になり、ブラシ１３の毛先部分が、口部１２の外周面と蓋体１４との間に挟まれるのを確実に抑えることができる。
【００４６】
次に、本発明に係る第５実施形態のブラシ付き容器５を、図９及び図１０を参照して説明する。
なお、この第５実施形態においては、第２実施形態における構成要素と同一の部分については同一の符号を付し、その説明を省略し、異なる点についてのみ説明する。
【００４７】
本実施形態のブラシ付き容器５では、口部１２の上端開口縁に、少なくとも一部が誘導突起６１より径方向の外側に位置する迂回突起６２が上方に向けて突設されている。
図示の例では、迂回突起６２は、口部１２の上端開口縁に全周にわたって連続して延在している。迂回突起６２は、フランジ部２６における径方向の外端部を除く全域にわたって配設されている。迂回突起６２は、上方に向けて突の曲面状に形成されている。
そして、誘導突起６１は、迂回突起６２のうち、上端に位置する頂部６２ａより径方向の内側に位置する部分に形成され、この部分から上方に突出している。誘導突起６１の両周端面６１ａ、６１ｂは、容器軸Ｏ方向に沿って延在している。誘導突起６１を径方向の内側から見た側面視形状は矩形状となっている。図示の例では、誘導突起６１の前記側面視形状は、容器軸Ｏ方向に長い長方形状となっている。また、迂回突起６２の頂部６２ａは、誘導突起６１の上端における容器軸Ｏ方向に沿う位置に対して同等か、上方に位置している。
なお、迂回突起６２の全体を、誘導突起６１より径方向の外側に位置させてもよい。また、迂回突起６２を、フランジ部２６における径方向の全域にわたって配設してもよい。
【００４８】
以上説明したように、本実施形態によるブラシ付き容器５によれば、口部１２の上端開口縁に、少なくとも一部が誘導突起６１より径方向の外側に位置する迂回突起６２が突設されているので、口部１２の上端開口縁上に載ったブラシ１３の毛先部分を、迂回突起６２上に乗り上げさせることで、この毛先部分が、口部１２の上端開口縁を径方向の外側に超えて口部１２の外周面側に到達するのを抑制することが可能になり、ブラシ１３の毛先部分が、口部１２の外周面と蓋体１４との間に挟まれるのを確実に抑えることができる。
また、迂回突起６２の頂部６２ａが、誘導突起６１の上端における容器軸Ｏ方向に沿う位置に対して同等か、上方に位置しているので、口部１２の上端開口縁上のブラシ１３の毛先部分が、口部１２の外周面側に到達するのを確実に抑えることができる。
【００４９】
本発明は上記した実施の形態に限定されるものではなく、その趣旨を逸脱しない範囲で適宜変更可能である。
【００５０】
例えば前記各実施形態では、外郭筒１６の口部１６ｃに、蓋体１４を着脱自在に螺着した構成を示したが、これに限らず例えば、蓋体１４を外郭筒１６の口部１６ｃに着脱自在に嵌合させるなど適宜変更してもよい。
また、前記各実施形態では、外郭筒１６を設けたが、この外郭筒１６を設けずに、蓋体１４を容器本体１１の口部１２に直接、着脱自在に装着してもよい。
また、前記各実施形態では、容器本体１１の底部１１ａを弾性変形可能に形成したが、容器本体１１の底部１１ａを弾性変形可能に形成しなくてもよいし、容器本体１１の全体を弾性変形可能に形成してもよい。
また、前記各実施形態では、外郭筒１６の底部１６ａに差込孔１６ｂを形成したが、外郭筒１６の底部１６ａに差込孔１６ｂを形成しなくてもよい。
また、前記第１、第４実施形態では、容器本体１１の口部１２に縦リブ２９を形成したが、縦リブ２９は形成しなくてもよい。縦リブ２９は、１つであってもよいし、周方向に間隔をあけて複数配設してもよい。縦リブ２９は、導入突部２８の頂部２８ａ上に位置させてもよいし、導入突部２８の下方に配置してもよい。
また、前記第１実施形態では、付勢部材２７を配設したが、付勢部材２７は配設しなくてもよい。付勢部材２７は、コイルスプリングに限らず、例えばゴム材料など適宜変更してもよい。
【００５１】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００５２】
１、２、３、４、５  ブラシ付き容器
１１  容器本体
１１ａ  容器本体の底部
１２  口部
１３  ブラシ
１４  蓋体
１６  外郭筒
１６ａ  外郭筒の底部
１６ｂ  差込孔
２７  付勢部材
２８  導入突部
２９  縦リブ
３１、４１、５１、６１  誘導突起
６２  迂回突起
Ｏ  容器軸
【図１】
2015062650.tif 000003
【図２】
2015062650.tif 000004
【図３】
2015062650.tif 000005
【図４】
2015062650.tif 000006
【図５】
2015062650.tif 000007
【図６】
2015062650.tif 000008
【図７】
2015062650.tif 000009
【図８】
2015062650.tif 000010
【図９】
2015062650.tif 000011
【図１０】
2015062650.tif 000012